(57)【要約】【課題】蓄えられた電力量が十分でない場合であっても完全に消灯してしまうことをなるべく避けることができ、定められた被照射領域における照度を長時間にわたって一定以上に保つことができる照明装置を提供する。【解決手段】照明装置１０１は、太陽電池パネル１と、発電された電力を蓄えるための蓄電池６と、蓄電池６から供給される電力によって、第１被照射領域１１およびこれに隣接する第２被照射領域１２にわたって照明を行なうことができる灯具２と、蓄電池６の電圧を検出するための電圧検出部と、蓄電池６から灯具２への電力の供給を制御するための制御装置とを備える。上記制御装置は、蓄電池６の電圧値が一定以下である場合には、第１被照射領域１１における照度を一定以上に維持しつつ、第２被照射領域１２における照明範囲を縮小させるか、または第２被照射領域１２における照度を低下させる。【選択図】図４
2011065768.tif 000002
【特許請求の範囲】
【請求項１】
太陽電池パネルと、
前記太陽電池パネルで発電された電力を蓄えるための蓄電池と、
前記蓄電池から供給される電力によって、第１被照射領域および前記第１被照射領域に隣接する第２被照射領域にわたって照明を行なうことができる灯具と、
前記蓄電池の電圧を検出するための電圧検出部と、
前記蓄電池から前記灯具への電力の供給を制御するための制御装置とを備え、
前記制御装置は、前記電圧検出部から得られる前記蓄電池の電圧値が一定以下である場合には、前記第１被照射領域における照度を一定以上に維持しつつ、前記第２被照射領域における照明範囲を縮小させるか、または前記第２被照射領域における照度を低下させる、照明装置。
【請求項２】
前記灯具は内側と外側とに区分される複数の光源を含み、前記蓄電池の電圧値が一定以下となった場合に、前記制御装置は、前記複数の光源のうち外側に位置する光源を消灯する、請求項１に記載の照明装置。
【請求項３】
前記灯具は内側と外側とに区分される複数の光源を含み、前記蓄電池の電圧値が一定以下となった場合に、前記制御装置は、前記複数の光源のうち外側に位置する光源に供給する電力を低減させる、請求項１に記載の照明装置。
【請求項４】
前記灯具は複数の光源を含み、前記蓄電池の電圧値が一定以下となった場合に、前記制御装置は、前記複数の光源の一部または全部の姿勢を変化させることによって前記第１被照射領域に照射光を集中させる、請求項１に記載の照明装置。
【請求項５】
前記複数の光源の各々は、１以上のＬＥＤチップを含む、請求項２から４のいずれかに記載の照明装置。
【請求項６】
前記灯具は、光源と、前記光源から出射する光を透過させる調光部とを含み、前記蓄電池の電圧値が一定以下となった場合に、前記制御装置は、前記調光部の状態を変化させることによって前記第１被照射領域に照射光を集中させる、請求項１に記載の照明装置。
【請求項７】
前記第１被照射領域に表示部を備える、請求項１から６のいずれかに記載の照明装置。
【発明の詳細な説明】
【技術分野】
【０００１】
本発明は、照明装置に関する。特に、太陽電池パネルを備える照明装置に関するものである。
【背景技術】
【０００２】
従来、太陽電池パネル付き照明装置が知られている。太陽電池パネル付き照明装置は、太陽電池パネルと、照明灯と、蓄電池とを備える。太陽電池パネル付き照明装置では、昼間には、太陽電池パネルから蓄電池へと電力を供給して蓄電池に充電を施し、夜間には蓄電池に蓄えられた電力で照明灯を点灯させる。太陽電池パネル付き照明装置の中には、周囲の明るさの検知装置や地震検知装置を備えるものもある。
【０００３】
たとえば、特開２００８−１９２５２９号公報（特許文献１）には、蓄電池に蓄えた電力を不用意に使用されることなく、地震時には外部の機器への充電を行なうことが可能な太陽電池付き照明装置が開示されている。
【０００４】
また、特開平１０−２１４５０３号公報（特許文献２）には、照明器具が看板面からそれほど突出せず、少ない数の照明器具で均斉度の高い照明ができる看板用照明装置が開示されている。
【先行技術文献】
【特許文献】
【０００５】
【特許文献１】特開２００８−１９２５２９号公報
【特許文献２】特開平１０−２１４５０３号公報
【発明の概要】
【発明が解決しようとする課題】
【０００６】
看板用照明装置においては、照射される看板に相当する領域、すなわち一定の被照射領域における照度を常にある程度以上の値に保つことが望まれる。一方、太陽光発電装置を用いた街路灯では、天候によっては昼間に十分な発電量が得られず、その結果、蓄えていた電力が夜間に不足し、本来ならば照射を続けなければならない時間帯にもかかわらず照明灯が完全に消灯してしまうことがあった。
【０００７】
そこで、本発明は、蓄えられた電力量が十分でない場合であっても完全に消灯してしまうことをなるべく避けることができ、定められた被照射領域における照度を長時間にわたって一定以上に保つことができる照明装置を提供することを目的とする。
【課題を解決するための手段】
【０００８】
上記目的を達成するため、本発明に基づく照明装置は、太陽電池パネルと、上記太陽電池パネルで発電された電力を蓄えるための蓄電池と、上記蓄電池から供給される電力によって、第１被照射領域および上記第１被照射領域に隣接する第２被照射領域にわたって照明を行なうことができる灯具と、上記蓄電池の電圧を検出するための電圧検出部と、上記蓄電池から上記灯具への電力の供給を制御するための制御装置とを備える。上記制御装置は、上記電圧検出部から得られる上記蓄電池の電圧値が一定以下である場合には、上記第２被照射領域における照明範囲を縮小させるか、または上記第２被照射領域における照度を低下させることによって、上記第１被照射領域における照度を低下させずに一定以上に維持することができる。
【発明の効果】
【０００９】
本発明によれば、電圧検出部から得られる電圧値に基づいて制御装置が第２被照射領域に対する照明の内容を変更することにより、消費電力の全体を調節することができ、これにより、第１被照射領域における照度を低下させずに一定以上に維持することができるので、蓄えられた電力量が十分でない場合であっても完全に消灯してしまうことをなるべく避けることができ、定められた被照射領域における照度を長時間にわたって一定以上に保つことができる。
【図面の簡単な説明】
【００１０】
【図１】本発明に基づく実施の形態１における照明装置の正面図である。
【図２】本発明に基づく実施の形態１における照明装置の側面図である。
【図３】本発明に基づく実施の形態１における照明装置の概念図である。
【図４】本発明に基づく実施の形態１における照明装置によって照射される領域の説明図である。
【図５】本発明に基づく実施の形態１における照明装置に備わる灯具の斜視図である。
【図６】本発明に基づく実施の形態１における照明装置に備わる灯具の内部の構造の模式図である。
【図７】本発明に基づく実施の形態１における照明装置に備わるＬＥＤアレイ基板の斜視図である。
【図８】本発明に基づく実施の形態１における照明装置に備わる複数のＬＥＤアレイ基板に関する配線図である。
【図９】本発明に基づく実施の形態１における照明装置で行なわれる制御の第１例のフローチャートである。
【図１０】本発明に基づく実施の形態１における照明装置で行なわれる制御の第２例のフローチャートである。
【図１１】本発明に基づく実施の形態２における照明装置に備わる灯具の内部の構造の模式図である。
【図１２】本発明に基づく実施の形態３における照明装置に備わる灯具の内部の構造の模式図である。
【図１３】本発明に基づく照明装置を用いて側方を照明する例についての説明図である。
【図１４】本発明に基づく照明装置を用いて表示目的のもの以外を照明する例についての説明図である。
【発明を実施するための形態】
【００１１】
（実施の形態１）
（構成）
図１〜図１０を参照して、本発明に基づく実施の形態１における照明装置について説明する。本実施の形態における照明装置１０１の正面図を図１に示し、側面図を図２に示す。照明装置１０１の内部構成を含めた概念図を図３に示す。照明器具１０１によって照射される２通りの領域を図４に示す。照明装置１０１は、太陽電池パネル１と、太陽電池パネル１で発電された電力を蓄えるための蓄電池６と、蓄電池６から供給される電力によって、第１被照射領域１１および第１被照射領域１１に隣接する第２被照射領域１２にわたって照明を行なうことができる灯具２と、蓄電池６の電圧を検出するための電圧検出部７と、蓄電池６から灯具２への電力の供給を制御するための制御装置８とを備える。制御装置８は、電圧検出部７から得られる蓄電池６の電圧値が一定以下である場合には、第１被照射領域１１における照度を一定以上に維持しつつ、第２被照射領域１２における照明範囲を縮小させるか、または第２被照射領域１２における照度を低下させる。
【００１２】
図１、図２に示すように、この照明装置１０１は、基部５および基部５から上方に延在する支柱３を備える。この照明装置１０１を設置する場合、通常、基部５は、別途用意されるアンカー基礎（図示せず）に固定される。基部５はアンカー基礎とともに地面に埋められてもよい。その場合、図１、図２において二点鎖線で示した高さが地表面となる。支柱３の上端には太陽電池パネル１が斜め上向きに設置されている。支柱３の途中に灯具２、表示部４およびバッテリボックス１０が設置されている。表示部４は灯具２より下方に配置されている。バッテリボックス１０は表示部４より下方に配置されている。
【００１３】
図３に示した蓄電池６、電圧検出部７および制御装置８は、バッテリボックス１０の内部に配置されているので、図１、図２においては見えていない。電圧検出部７および制御装置８はバッテリボックス１０の内部ではなく支柱３の内部などに配置されていてもよい。
【００１４】
図４に示すように、表示部４の前面は、第１被照射領域１１に含まれる位置にある。第２被照射領域１２は、第１被照射領域の周辺の領域である。
【００１５】
本実施の形態では、灯具２は支柱３に対して斜め下を向くように取り付けられている。図１における灯具２を単独で取り出したところを図５に示す。灯具２は前向きに２つの発光面２ａ，２ｂを有する。発光面２ａ，２ｂの前側は透明カバー２ｃで覆われている。
【００１６】
ただし、本実施の形態で示す灯具の形状はあくまで一例であってこの形状に限らない。灯具２の内部には図６に模式的に示すように支持基板２１ａ，２１ｂが配置されている。支持基板２１ａ，２１ｂは、一定の角度をなすように並べて配置されている。支持基板２１ａ，２１ｂの各々が発光面２ａ，２ｂの各々に対応する。支持基板２１ａ，２１ｂの前側の面には、それぞれ複数のＬＥＤ（Light Emitting Diode）アレイ基板２２が配列されている。ＬＥＤアレイ基板２２の１つを単独で取り出したところを図７に示す。ＬＥＤアレイ基板２２は細長い略長方形の基板であり、主表面２２ｕを有する。ＬＥＤアレイ基板２２の主表面２２ｕには複数のＬＥＤチップ２３が１列に並んで配列されている。１枚のＬＥＤアレイ基板２２には、ＬＥＤチップ２３が１列で配列する代わりに複数列で配列されていてもよい。
【００１７】
図６に示すように、第１被照射領域１１への照射は中央部のいくつかのＬＥＤアレイ基板２２によって行なわれ、第２被照射領域１２への照射は、それ以外の、すなわち外側のいくつかのＬＥＤアレイ基板２２によって行なわれる。図６に示すように、第１被照射領域１１への照射を行なう複数のＬＥＤアレイ基板２２を第１群２５とし、第２被照射領域１２への照射を行なう複数のＬＥＤアレイ基板２２を第２群２６ａ，２６ｂと呼ぶものとする。
【００１８】
複数のＬＥＤアレイ基板２２への配線の一例を図８に示す。灯具２の内部では図８に示すように、中心線２７に関して対称に、内側から１列目のＬＥＤアレイ基板２２同士、２列目のＬＥＤアレイ基板２２同士、３列目のＬＥＤアレイ基板２２同士、…、ｎ列目のＬＥＤアレイ基板２２同士、…がそれぞれ共通するスイッチ１９に接続されている。各スイッチ１９を操作することによって、左右対称な位置に配置された特定の２枚のＬＥＤアレイ基板２２のＯＮ／ＯＦＦ状態が同時に連動して切替えされるようになっている。
【００１９】
この照明器具１０１は、図示しない明るさセンサを備えており、外部の明るさが一定以下になった場合には灯具２をＯＮ状態とし、外部の明るさが一定以上となった場合には灯具２をＯＦＦ状態とするように設定されている。明るさセンサによるＯＮ／ＯＦＦ状態の切替えの代わりに、時計またはタイマーを内蔵しておいて一定時刻がくるとＯＮ／ＯＦＦ状態の切替えがそれぞれ行なわれるように構成してもよい。ただし、いずれの場合もＯＮ状態においては上述した制御装置８による制御に従う。
【００２０】
制御装置８による制御の第１の例のフローチャートを図９に示す。電圧検出部７から得られる蓄電池６の電圧値が一定以下である場合には、第２被照射領域１２における照明範囲を図４に示す領域１２ｒへと縮小させる。領域１２ｒも第１被照射領域１１の周辺の領域である。領域１２ｒは第１被照射領域１１に隣接している。この縮小が行なわれる際にも第１被照射領域１１への照射は何ら変更なく行なわれ、第１被照射領域１１における照度は維持される。このような切替えは、たとえば第２群２６ａ，２６ｂに属する複数のＬＥＤアレイ基板２２のうち外側の一部を消灯させることによって実現可能である。電圧検出部７から得られる電圧値がどの程度まで低下しているかによって、複数のＬＥＤアレイ基板２２のうち消灯させるＬＥＤアレイ基板２２の数を適宜設定してもよい。
【００２１】
このような制御の実現のためには、灯具２は内側と外側とに区分される複数の光源を含み、蓄電池６の電圧値が一定以下となった場合に、制御装置８は、前記複数の光源のうち外側に位置する光源を消灯する構成となっていることが好ましい。特に、蓄電池６の電圧値の大小に応じて、複数の光源のうち外側から何個目までの光源を消灯させるかを選択する構成とすることが好ましい。照明装置が図８に示したような配線を備えていれば、制御装置８がスイッチ１９を操作することによって複数の光源のうち外側から何個目までの光源を消灯させるかを選択することができる。
【００２２】
制御装置８による制御の第２の例のフローチャートを図１０に示す。この例では、第２被照射領域１２における照明範囲を変更するのではなく、照明範囲の広さは維持したまま第２被照射領域１２全体にわたって照度を低下させる。この場合は、たとえば第２群２６ａ，２６ｂに属する複数のＬＥＤアレイ基板２２のうち外側の一部の光量を一斉に低下させることによって実現可能である。各光源の光量を低下させるためには、各光源をＰＷＭ（Pulse Width Modulation）制御によって発光させる構成としておき、必要に応じてデューティ比、すなわち、各パルス幅における高（Ｈ）と低（Ｌ）との２種類の信号のうち高（Ｈ）の占める時間の割合を下げていくこととしてもよい。
【００２３】
このような制御の実現のためには、灯具２は内側と外側とに区分される複数の光源を含み、蓄電池６の電圧値が一定以下となった場合に、制御装置８は、前記複数の光源のうち外側に位置する光源に供給する電力を低減させることが好ましい。
【００２４】
なお、「内側と外側とに区分される複数の光源」とは、図６、図８に示すような複数のＬＥＤアレイ基板２２であってもよい。複数の光源の各々はＬＥＤアレイ基板という形態に限らず、他の種類の光源であってもよい。
【００２５】
（作用・効果）
本実施の形態では、電圧検出部７から得られる電圧値に基づいて制御装置８が第２被照射領域１２に対する照明の内容を変更することにより、消費電力の全体を調節することができ、これにより、第１被照射領域１１における照度を低下させずに引続き一定以上に維持することができるので、蓄えられた電力量が十分でない場合であっても完全に消灯してしまうことをなるべく避けることができ、定められた被照射領域における照度を長時間にわたって一定以上に保つことができる。
【００２６】
なお、本実施の形態では、灯具２に含まれる支持基板が合計２枚である例を示したが、支持基板は他の枚数であってもよい。本実施の形態では、灯具２に含まれる複数の支持基板は隣接するもの同士の間で一定の角度をなすように並べた配置としたが、このような構成に限るものではなく、平行に配置してもよい。その場合、後述する調光部によって照射光の進行方向を振り分けることが好ましい。本実施の形態では、平坦な支持基板上に光源が配列された構成を例示したが、灯具２に含まれる光源は曲面上に配列されていてもよい。
【００２７】
（実施の形態２）
（構成）
図１１を参照して、本発明に基づく実施の形態２における照明装置について説明する。本実施の形態における照明装置は基本的には実施の形態１に示したものと同様であるが、灯具２の内部構造が異なる。また、制御装置８が灯具２に対して指示する動作も異なる。本実施の形態における照明装置の灯具２の内部の構造を図１１に示す。
【００２８】
本実施の形態における照明器具の灯具２の内部においては、支持基板２１ａ，２１ｂの後ろ側には角度調製バー２４が設置されている。角度調節バー２４は制御装置８の指示により矢印９１のように自ら伸縮可能な機構となっている。支持基板２１ａ，２１ｂの境目は蝶番構造となっている。支持基板２１ａ，２１ｂの中心線２７に対する傾斜角θは、角度調節バー２４の長さによって決定される構造となっている。すなわち、制御装置８の指示により複数の光源としての複数のＬＥＤアレイ基板２２の全部の姿勢が変化する。
【００２９】
本実施の形態で示したように、灯具２は複数の光源を含み、蓄電池６の電圧値が一定以下となった場合に、制御装置８は、前記複数の光源の一部または全部の姿勢を変化させることによって第１被照射領域１１に照射光を集中させる構成となっていることが好ましい。
【００３０】
（作用・効果）
本実施の形態では、蓄電池６の電圧値が一定以下となっても制御装置８の制御により、複数の光源の姿勢が変化し、照射光を第１被照射領域１１に集中させることができる。こうすることによって、第２被照射領域１２の照度または照射範囲は低下するかもしれないが、第１被照射領域１１の照度は一定以上に維持することができる。すなわち、蓄えられた電力量が十分でない場合であっても完全に消灯してしまうことをなるべく避けることができ、定められた被照射領域における照度を長時間にわたって一定以上に保つことができる。
【００３１】
上記各実施の形態においては、「複数の光源」の各々は、１以上のＬＥＤチップ２３を含むことが好ましい。ＬＥＤチップを用いることによって、低消費電力、低発熱かつ長寿命の光源を容易に実現することができるからである。必要に応じて複数のＬＥＤチップを組み合わせれば、灯具の中の発光する面を大面積化することもできる。灯具としての発光量を大きくすることもできる。
【００３２】
（実施の形態３）
（構成）
図１２を参照して、本発明に基づく実施の形態３における照明装置について説明する。本実施の形態における照明装置は基本的には実施の形態１に示したものと同様であるが、灯具２の内部構造が異なる。また、制御装置８が灯具２に対して指示する動作も異なる。本実施の形態における照明装置の灯具２内部の構造を図１２に示す。
【００３３】
本実施の形態における照明器具の灯具２の内部においては、光源の前側に調光部としてのレンズ材２８ａ，２８ｂを備える。本実施の形態では、「光源」は支持基板２１ａ，２１ｂの各々に複数のＬＥＤアレイ基板２２を取り付けた構造体を意味する。レンズ材２８ａ，２８ｂはマイクロレンズ構造を有する板材であってもよい。レンズ材２８ａ，２８ｂは制御装置８の指示により傾きを変更するなどして光の集中度合いを変化させることができる。これによって、光源から出射する光を第１被照射領域１１に照射光を集中させることができる構成となっている。
【００３４】
本実施の形態で示したように、灯具２は、光源と、この光源から出射する光を透過させる調光部としてのレンズ材２８ａ，２８ｂとを含み、蓄電池６の電圧値が一定以下となった場合に、制御装置８は、調光部の状態を変化させることによって前記第１被照射領域に照射光を集中させる構成となっていることが好ましい。「調光部の状態を変化させる」とは、調光部を構成する部材の姿勢を変化させること、調光部を構成する部材の位置を変化させること、調光部を構成する部材の屈折率を変化させることなどを含む。
【００３５】
（作用・効果）
本実施の形態では、蓄電池６の電圧値が一定以下となっても制御装置８の制御により、調光部の状態を変化させることにより、照射光を第１被照射領域１１に集中させることができる。こうすることによって、第２被照射領域１２の照度または照射範囲は低下するかもしれないが、第１被照射領域１１の照度は一定以上に維持することができる。すなわち、蓄えられた電力量が十分でない場合であっても完全に消灯してしまうことをなるべく避けることができ、定められた被照射領域における照度を長時間にわたって一定以上に保つことができる。
【００３６】
なお、本実施の形態では、灯具２が左右対称に２つの光源を備えることを前提に説明したが、灯具２は２より大きい数の光源を備えていてもよく、単一の光源を備えるのみであってもよい。また、調光部はすべての光源を被覆するように配置されている必要はなく、灯具２内の一部の光源に対してのみ配置されている構成であってもよい。
【００３７】
（表示部の有無）
上記各実施の形態では、たとえ蓄電池の電圧が低下しても照度を低下させずに一定以上に保つべき被照射領域を第１被照射領域１１として扱った。上記各実施の形態における照明装置は、第１被照射領域１１に含まれるように表示部４を備えている。このように第１被照射領域１１に表示部４を備えることが好ましい。
【００３８】
なお、表示部４（図１、図２参照）は、看板であってもよく、表示装置であってもよい。図１、図２、図４において表示部４は、平坦な板状のものとして描いているが、必ずしも平坦な板状のものとは限らず、立体的な形状のものであってもよい。たとえば立体的な看板や展示物品などであってもよい。また、表示部４は支柱３に取り付けられているものとは限らず、支柱３とは全く別に、たとえば地面などに配置されたものであってもよく、別個独立の支持手段によって配置されたものであってもよい。
【００３９】
上記各実施の形態では、太陽電池パネル、灯具、表示部が支柱に取り付けられることによって一体化されているが、これらの各要素は必ずしも一体的に取り付けられていなくてもよい。これらの各要素が別個の部品として用意され、配線などによって互いに接続されている構成であってもよい。本発明に基づく照明装置としては、表示部の存在は必須ではない。照明装置に表示部が含まれない構成であってもよい。
【００４０】
（柱型以外の型の照明装置）
上記各実施の形態では照明装置は柱状のものであって下方の地面に向かって照明するものとして説明したが、本発明の適用対象となる照明装置はこのようなものに限らない。たとえば、図１３に示すように、側方を照明するものであってもよい。図１３に示す例では、壁面４０に掲示物４１，４２，４３が貼られており、この壁面４０に対向するように照明装置１０２が設置されている。照明装置１０２は、太陽電池パネル１と灯具２とバッテリボックス１０とを備えている。灯具２は複数のＬＥＤチップを含む。バッテリボックス１０の内部には、蓄電池６、電圧検出部７および制御装置８が収納されている。掲示物４１が位置する領域が第１被照射領域１１ｉであり、掲示物４２，４３が位置する領域が第２被照射領域１２ｉａ，１２ｉｂである。この照明装置１０２において、通常の電源ＯＮ時には、灯具２は、掲示物４１が位置する第１被照射領域１１ｉと掲示物４２，４３が位置する第２被照射領域１２ｉａ，１２ｉｂとの両方を照射している。これによって、通行人の目には掲示物４１，４２，４３の全てが目立つようになる。蓄電池６の電圧が低下した際には、第２被照射領域１２ｉａ，１２ｉｂの照度を低下させるか、あるいは第２被照射領域１２ｉａ，１２ｉｂの照射を停止することによって、消費電力の合計量を抑え、第１被照射領域１１ｉの照度を引続き一定以上に保つことができる。これにより、掲示物４２，４３は見にくくなっても掲示物４１は引続き見やすい状態を維持することができる。掲示物４１が掲示物４２，４３に比べて特に重要な内容を表示するものである場合などには、このような照明装置１０２の使用態様は有意義なものとなる。
【００４１】
（照射対象物）
照射対象は何らかの表示を目的として用意されたものとは限らない。たとえば図１４に示すように、階段４５を挟んでその前後に平坦な床４４，４６を含む通路３９があった場合、この通路３９が暗い状態となったときに通行人４７にとって特に危険となると思われる階段４５４の部分を第１被照射領域１１ｊとして、危険度の低い平坦な床４４，４６を第２被照射慮息４４，４６を第２被照射領域１２ｊａ，１２ｊｂとして本発明に基づく照明装置１０３を用いることが考えられる。照明装置１０３は、太陽電池パネル１と灯具２とバッテリボックス１０とを備えている。灯具２は複数のＬＥＤチップを含む。バッテリボックス１０の内部には、蓄電池６、電圧検出部７および制御装置８が収納されている。この照明装置１０２において、通常の電源ＯＮ時には、灯具２は、平坦な床４４，４６と階段４５との両方を照明している。蓄電池６の電圧が低下した際には、第２被照射領域１２ｊａ，１２ｊｂの照度を低下させるか、あるいは第２被照射領域１２ｊａ，１２ｊｂの照射を停止することによって、消費電力の合計量を抑え、第１被照射領域１１ｊの照度を引続き一定以上に保つことができる。すなわち、危険度の高い階段４５に対しては、引続き一定照度以上で照明をし続けることができるので、通行人４７にとって階段通行時の安全を確保することができる。
【００４２】
ここでは、通路途中に階段がある例を挙げたが、通路の途中に階段の代わりに破損箇所や汚損箇所があって通行人が注意を要する状態となっている場合にも同様に照明装置１０３の使用態様が考えられる。その場合も、蓄電池の蓄えた電力が十分でなくても、優先度の低い箇所の照度を低下させたり照射範囲を狭めたりすることによって、特に優先的に照明を続けるべき部位を一定照度以上で照明し続けることができる。
【００４３】
なお、上記各実施の形態では、発電手段が太陽電池パネルであることを前提として説明してきたが、本発明の思想自体は、太陽電池パネル以外の発電手段によって発電した電力を蓄電池に蓄える構成であっても適用することができる。特に、発電量が自然環境に依存して一定しないような種類の発電手段を用いた照明装置の場合、本発明を適用することは有意義である。
【００４４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００４５】
１  太陽電池パネル、２  灯具、２ａ，２ｂ  発光面、２ｃ  透明カバー、３  支柱、４  表示部、５  基部、６  蓄電池、７  電圧検出部、８  制御装置、１０  バッテリボックス、１１，１１ｉ，１１ｊ  第１被照射領域、１２，１２ｉａ，１２ｉｂ，１２ｊａ，１２ｊｂ  第２被照射領域、１２ｒ  （縮小された後の）領域、１９  スイッチ、２１ａ，２１ｂ  支持基板、２２  ＬＥＤアレイ基板、２２ｕ  （アレイ基板の）主表面、２３  ＬＥＤチップ、２４  角度調節バー、２５  第１群、２６ａ，２６ｂ  第２群、２７  中心線、２８ａ，２８ｂ  レンズ材、３９  通路、４０  壁面、４１，４２，４３  掲示物、４４，４６  床、４５  階段、４７  通行人、９１  矢印、１０１，１０２，１０３  照明装置。
【図１】
2011065768.tif 000003
【図２】
2011065768.tif 000004
【図３】
2011065768.tif 000005
【図４】
2011065768.tif 000006
【図５】
2011065768.tif 000007
【図６】
2011065768.tif 000008
【図７】
2011065768.tif 000009
【図８】
2011065768.tif 000010
【図９】
2011065768.tif 000011
【図１０】
2011065768.tif 000012
【図１１】
2011065768.tif 000013
【図１２】
2011065768.tif 000014
【図１３】
2011065768.tif 000015
【図１４】
2011065768.tif 000016